(57)【要約】【課題】書類の綴り作業について、熟練を要することなく正確かつ容易に行えるようにする。【解決手段】書類を綴る際に予定した位置でステープルの打設又は穴開けの作業を正確に行うための書類綴じ補助器１Ａであって、所定の用紙とサイズが一致した載置面１００を構成する板材７外周側に壁体１５が立設されてその内周側で書類２００を揃った状態で保持する書類載置台１０と、書類載置台１０を所定高さで支持する支持部と、書類載置台１０の外周側から壁体１５及び板材７が切り欠かれてステープラー５又は穴開けパンチ６を書類の所定位置に案内するガイド切り欠き１７ａ，１７ｂ，１７ｃ，１７ｄ，１７ｅ，２０ａ，２０ｂが設けられており、載置台１０に載せた書類２００をその下方にステープラー５又は／及び穴開けパンチ６を挿入可能な高さで保持しつつその案内・位置決めをさせて作業を行わせるものとした。【選択図】図２
2013056410.tif 000002
【特許請求の範囲】
【請求項１】
ステープラー又は穴開けパンチを用いて書類を綴る際に予定した位置にてステープルの打設又は穴開けの作業を正確に行えるようにガイドする書類綴じ補助器であって、
所定の規格による所定サイズの用紙と長辺・短辺のサイズが一致した載置面を構成する板材の外周側所定範囲で所定高さの壁体が立設されて該壁体内周側で前記載置面に載せた書類の総ての用紙を端縁が揃った状態で保持する書類載置台と、該書類載置台を卓上の所定高さ位置で前記載置面を水平にして支持する支持部と、前記書類載置台の外周側から所定深さで前記壁体及び前記板材が切り欠かれてステープラー又は穴開けパンチを前記書類における所定のステープル打設位置又は穴開け位置に案内するガイド切り欠きが複数設けられており、前記載置台に載せた前記書類をその下方にステープラー又は／及び穴開けパンチの下側部材先端側が挿入可能な高さで前記用紙が揃った状態のまま保持しつつ、外周側から挿入したステープラー又は／及び穴開けパンチを前記ガイド切り欠きで案内しながら位置決めさせて前記作業を行わせる、ことを特徴とする書類綴じ補助器。
【請求項２】
平面視の長辺・短辺のサイズ及び形状が前記載置面と一致するとともに前記壁体内周側に上から挿入して前記載置面に載せることのできる書類押え板を備えており、該書類押え板には前記載置面に形成されている前記各ガイド切り欠きとサイズ・形状・位置の一致した切り欠きが設けられており、前記書類載置台に載せた書類に被せて上から押さえ付けた状態にて、ステープラー又は／及び穴開けパンチを外周側から挿入して使用することが可能とされている、ことを特徴とする請求項１に記載した書類綴じ補助器。
【請求項３】
前記書類押え板の上面には、前記各ガイド切り欠きの挿入方向先端側にステープラー又は穴開けパンチの先端側を前記各ガイド切り欠き内の中心線上に位置決めさせるための目印又はガイドラインが表示されている、ことを特徴とする請求項２に記載した書類綴じ補助器。
【請求項４】
前記ガイド切り欠きのうち少なくともステープラー用のものには、ステープラーの下側部材先端面に当接してその挿入深さを規制するとともに規制する深さ位置の変更・調整を可能とする挿入深さ調整手段が設けられている、ことを特徴とする請求項１，２または３に記載した書類綴じ補助器。
【請求項５】
前記板材は、表裏両面を前記載置面として使用可能とされ、前記壁体が前記各載置面外周側部分から上下に延設されて各々前記支持部を兼ねるとともにその先端までの長さが互いに異なり、卓上に置いた際の前記載置面の高さが表と裏で異なるものとされ、前記下側部材の高さが異なるステープラー又は／及び穴開けパンチに各々対応可能とされている、ことを特徴とする請求項１，２，３または４に記載した書類綴じ補助器。
【請求項６】
前記支持部は、前記板材裏面側の少なくとも四隅に設けられた上下方向に弾性変形可能な脚体で構成され、所定レベル以上の圧力を上から加えることで前記脚体が変形しながら前記載置面を下降させ、前記圧力を解除することで前記脚体が弾性反発力で載置面を元の高さに戻すものとされ、フラットクリンチ式のステープラーでステープルを打設する際には、ステープル針先貫通後の折り曲げ動作時にステープラー下側部材針受け部の下降動作に追従して前記載置面の少なくとも打設位置側を下降させるように所定の前記脚体が弾性変形する、ことを特徴とする請求項１，２，３，または４に記載した書類綴じ補助器。
【発明の詳細な説明】
【技術分野】
【０００１】
本発明は、書類綴じ補助器に関し、殊に、所定の規格による同一サイズの用紙を重ねた書類をステープラーや穴開けパンチを用いて綴る際に、その作業を正確に行えるように補助する書類綴じ補助器に関する。  
【背景技術】
【０００２】
複数枚の用紙を重ねた書類を綴って一冊に纏める際には、ステープル（ホッチキス針）で留めたりパンチ穴を穿設してバインダーや綴り紐で留めたりすることが行われている。ステープラー（ホッチキス）を用いて綴る場合は、書類の長辺側の２又は３箇所でステープル止めするのが一般的であり、穴開けパンチの場合は２穴式のものを用いて書類の長辺側又は短辺側に２つのパンチ穴を同時に穿設するのが一般的である。
【０００３】
しかし、ステープラーを用いて綴る場合、書類における長辺の二等分線を挟んだ対称位置に打設することに加え用紙端縁から同一深さで止めることが外観上好ましいところ、目測による手作業で行うのが通常であるため、正確な位置決めが実際には困難であった。また、穴開けパンチの場合も、毎回同じ位置でパンチ穴を開けないと書類を重ねて綴る際に端縁側が揃わなくなることから、穿設対象になる辺の二等分線から同一距離で２つのパンチ穴を設けるために書類を一旦２つ折りにして目印を設けているのが一般的であり、折り目が残って外観上好ましくなかった。
【０００４】
斯かる問題に対し、特開２０００−３５４９９９号公報には、書類の上に重ねる方形状の板体に正しいパンチ穴の位置にガイド用の穴を設けるとともに書類の二等分線に相当する位置に中心位置決め表示部を表示してなるパンチ穴開け補助器が提案され、書類を折り曲げずにパンチ穴の位置決めを行えるガイドとして使用できるものとしている。
【０００５】
また、特開２００６−１９８７５６号公報には、書類と同一サイズにした透明シートの端縁側に穴開けパンチの基準位置となる印を表示することに加え、ステープラーの基準位置となる切り欠きを設けてなるガイドシートも提案されており、穴開けパンチとステープラーの両方の位置決めを行えるガイドとして知られている。
【０００６】
ところが、これらのガイドは複数枚の用紙を正確に重ねた書類の上に板体やシートの端縁側を正確に合わせて載せた状態にて作業を行うものであるところ、Ａ４やＢ５等の日本工業規格による同一サイズの用紙であったとしても、例えばレーザープリンターによる熱で湾曲したコピー用紙や折り目のある用紙が集合した書類の場合は、総ての用紙の端縁を正確に揃えて重ねることは実際には容易ではない。
【０００７】
また、用紙がいったん正確に揃った場合でも、厚い書類の場合は綴り作業の途中に用紙間でずれが生じやすく、さらに前述の補助具やガイドシートは書類の上に載せただけの状態で使用するものであることから、用紙同士が作業途中でずれ動いてしまいやすいという難点もあり、これらをガイドとして用いても書類を正確に綴ることが容易ではないケースも多い。
【０００８】
殊に、ステープラーを用いて綴る場合は、書類とステープラーの両方を手に持った状態で行うため、ステープルを複数回打設するうちに用紙間のずれが拡大しやすくなるという問題もある。また、穴開けパンチの場合はこれを卓上に置いて作業を行うところ、書類の下側に位置する下側部材が厚い機種では、書類の穴を開ける側が持ち上がって斜めになることでずれが生じやすくなる。そのため、厚い書類を作成して顧客に提出するような業種においては、正確に美しく綴られた書類が好まれることから、綴り作業に熟練した事務員が一部ずつ手間と時間をかけながら手作業で行っているのが現状である。
【先行技術文献】
【特許文献】
【０００９】
【特許文献１】特開２０００−３５４９９９号公報
【特許文献２】特開２００６−１９８７５６号公報
【発明の概要】
【発明が解決しようとする課題】
【００１０】
本発明は、上記のような問題を解決しようとするものであり、書類の綴り作業について、熟練を要することなく正確かつ容易に行えるようにすることを課題とする。
【課題を解決するための手段】
【００１１】
そこで、本発明は、ステープラー又は穴開けパンチを用いて書類を綴る際に予定した位置にてステープルの打設又は穴開けの作業を正確に行えるようにガイドする書類綴じ補助器であって、所定の規格による所定サイズの用紙と長辺・短辺のサイズが一致した載置面を構成する板材の外周側所定範囲で所定高さの壁体が立設されてこの壁体内周側で載置面に載せた書類の総ての用紙を端縁が揃った状態で保持する書類載置台と、この書類載置台を卓上の所定高さ位置で載置面を水平にして支持する支持部と、書類載置台の外周側から所定深さで壁体及び板材が切り欠かれてステープラー又は穴開けパンチを書類における所定のステープル打設位置又は穴開け位置に案内するガイド切り欠きが複数設けられており、載置台に載せた書類をその下方にステープラー又は／及び穴開けパンチの下側部材先端側が挿入可能な高さで用紙が揃った状態のまま保持しつつ、外周側から挿入したステープラー又は／及び穴開けパンチをガイド切り欠きで案内しながら位置決めさせて前記作業を行わせる、ことを特徴とするものとした。
【００１２】
このように、書類載置台に載せた書類をステープラー又は／及び穴開けパンチを挿入可能な高さで用紙の端縁が揃った状態のまま保持しながら、ガイド切り欠きでステープラー又は穴開けパンチを正確な位置に案内して位置決めさせるものとしたことで、誰が書類の綴り作業を行っても正確で美しい仕上がりを容易に実現可能なものとなる。
【００１３】
また、この書類綴じ補助器において、平面視の長辺・短辺のサイズ及び形状が書類載置台の載置面と一致するとともに壁体内周側に上から挿入して載置面に載せることのできる書類押え板を備えており、この書類押え板には載置面に形成されている各ガイド切り欠きとサイズ・形状・位置の一致した切り欠きが設けられており、書類載置台に載せた書類に被せて上から押さえ付けた状態にて、ステープラー又は／及び穴開けパンチを外周側から挿入して使用することが可能とされている、ことを特徴としたものとすれば、載置面に重ねた用紙を書類押え板で上から押さえ付けて密着させた状態で書類の綴り作業を行えるものとなる。
【００１４】
さらに、この書類押え板を備えた書類綴じ補助器において、その書類押え板の上面には、各ガイド切り欠きの挿入方向先端側にステープラー又は穴開けパンチの先端側をガイド切り欠き内の中心線上に位置決めさせるための目印又はガイドラインが表示されている、ことを特徴としたものとすれば、ステープラー又は／及び穴開けパンチの位置決めが更に正確に行えるようになる。
【００１５】
さらにまた、上述した書類綴じ補助器において、そのガイド切り欠きのうち少なくともステープラー用のものには、ステープラーの下側部材先端面に当接してその挿入深さを規制するとともに規制する深さ位置の変更・調整を可能とする挿入深さ調整手段が設けられている、ことを特徴としたものとすれば、使用するステープラーの種類に応じて正確な位置にてステープルの打設が行えるものとなる。
【００１６】
加えて、上述した書類綴じ補助器において、その書類載置台の板材は表裏両面を載置面として使用可能とされ、その壁体が各載置面外周側部分から上下に延設されて各々支持部を兼ねるとともにその先端までの長さが互いに異なり、卓上に置いた際の載置面の高さが表と裏で異なるものとされ、下側部材の高さが異なるステープラー又は／及び穴開けパンチに各々対応可能とされている、ことを特徴としたものとすれば、裏返して使用するだけで、下側部材の高さが異なるステープラー又は／及び穴開けパンチに対応可能なものとなる。
【００１７】
或いは、上述した書類綴じ補助器において、表裏両面を使用して載置面の高さを変更する前記方式とは異なり、書類載置台の板材を支持する支持部が、板材裏面側の少なくとも四隅に設けられた上下方向に弾性変形可能な脚体で構成され、所定レベル以上の圧力を上から加えることで脚体が変形しながら載置面を下降させ、圧力を解除することで脚体が弾性反発力で載置面を元の高さに戻すものとされ、フラットクリンチ式のステープラーでステープルを打設する際には、ステープル針先貫通後の折り曲げ動作時にステープラー下側部材針受け部の下降動作に追従して載置面の少なくとも打設位置側を下降させるように所定の脚体が弾性変形する、ことを特徴としたものとすれば、使用するステープラーや穴開けパンチの下側部材に対し載置面が高い場合であっても、これを上から押圧することで高さ調整が可能であることに加え、フラットクリンチ式のステープルによる２段階目の下降動作に対しても載置面の高さを追従可能として、あらゆる状況でステープル止めの綺麗な仕上がりを実現しやすいものとなる。
【発明の効果】
【００１８】
書類をステープラーや穴開けパンチを挿入可能な高さで用紙が揃った状態のまま保持しながら、ガイド切り欠きでステープラーや穴開けパンチを正確な位置に案内して位置決めさせる構成とした本発明によると、熟練を要することなく書類の綴り作業が正確かつ容易に行えるものである。
【図面の簡単な説明】
【００１９】
【図１】本発明における第１の実施の形態の斜視図である。
【図２】図１の書類綴じ補助器の使用状態を説明するための斜視図である。
【図３】図１の書類綴じ補助器の応用例を示す平面図である。
【図４】図３のＸ−Ｘ線に沿う断面図である。
【図５】図１の書類綴じ補助器の応用例として図１の書類綴じ補助器に付設される書類押え板を示す平面図である。
【図６】図５の書類押え板の使用状態を説明するための斜視図である。
【図７】本発明における第２の実施の形態の斜視図である。
【図８】図７のＹ−Ｙ線に沿う断面図である。
【図９】本発明における第３の実施の形態の斜視図である。
【図１０】図９の書類綴じ補助器の応用例を示す斜視図である。
【図１１】本発明における第４の実施の形態の底面図である。
【図１２】（Ａ）は図１１のＺ−Ｚ線に沿う断面図、（Ｂ）は図１１の書類綴じ補助器の脚体の動作を説明するための拡大した部分底面図、（Ｃ）は図７の側面図である。
【図１３】（Ａ），（Ｂ），（Ｃ）は図１１の書類綴じ補助器の脚体の機能を説明するための側面図である。
【図１４】図１１の書類綴じ補助器の平面図である。
【図１５】（Ａ）は図１４の書類綴じ補助器に書類押え板を付設した場合の連結部分の構成を説明するための拡大した部分平面図、（Ｂ）は（Ａ）の正面図である。
【図１６】図１１の書類綴じ補助器の応用例を示す平面図である。
【図１７】（Ａ），（Ｂ）は専用の書類押え板を付設した図１６の書類綴じ補助器の作用を説明するための拡大した縦断面図である。
【発明を実施するための形態】
【００２０】
以下に、図面を参照しながら本発明を実施するための形態を説明する。
【００２１】
図１は、本発明における第１の実施の形態である書類綴じ補助器１Ａの斜視図を示している。本発明は、ステープラー又は穴開けパンチを用いて日本工業規格による同一サイズの用紙を重ねた書類を綴る際に、予定した位置でステープルの打設又は穴開け作業が正確に行えるようにガイドするための器具であり、綴る対象の用紙はＡ４又はＢ５を想定しているが、以下の形態においてはＡ４の場合を説明するものとする。
【００２２】
書類綴じ補助器１Ａは所定の厚さを有した板材７を使用しており、その素材として木材やプラスティックを用いることを想定している。この場合、外形の長辺・短辺のサイズがＡ４用紙と一致した載置面１００を構成する板材７の外周位置にて、切り欠き箇所を除く部分に垂直に立設した所定高さの壁体１５を有してその内周面で載置面１００に載せた書類の総ての用紙を端縁が揃った状態で保持する書類載置台１０からなり、その板材７の下側部分がこの書類載置台１０を卓上の所定高さ位置で載置面１００が水平の状態にて支持する支持部を兼ねたものとなっている。尚、壁体１５は切り欠き部分で分断されて実際には複数となっているが、切り欠きがない場合は外周総てに亘って形成される性格のものであるため、全体として壁体１５と称することにしている。また、載置面１００の各サイズが用紙サイズに一致するとしたのは重なった用紙を綺麗に揃える目的によるものであるから、厳密な意味の完全一致を指しているのではなく、温度や湿度の条件により用紙が伸び縮みすること等を鑑みれば、少なくとも用紙が壁体１５内周側に収まるのであれば１ｍｍ前後の誤差は許容することができる。
【００２３】
そして、この書類載置台１０には、その外周側から各辺の直角方向所定深さで壁体１５及び板材７が切り欠かれてステープラー又は穴開けパンチを書類における所定のステープル打設位置又は穴開け位置に案内するための複数のガイド切り欠き１７ａ，１７ｂ，１７ｃ，１７ｄ，１７ｅ，２０ａ，２０ｂが設けられており、載置台１０に載せた書類をその下方にステープラー又は／及び穴開けパンチの下側部材先端側が挿入可能な高さで用紙が揃った状態のまま保持しながら、外周側から挿入したステープラー又は／及び穴開けパンチを各ガイド切り欠きで案内して位置決めさせるようになっている。
【００２４】
図２は、この書類綴じ補助器１Ａを用いてＡ４用紙を複数枚重ねた書類２００を綴る場合を説明するための斜視図である。例えば、レーザープリンターでＡ４のコピー用紙に複数枚印刷した場合、すぐに綴る際には印刷時の熱で用紙が湾曲しているためこれらの端縁側を手で揃えるのが難しいところ、Ａ４と同一サイズの載置面１００を有して内側の短径・長径がＡ４サイズになるように立設した壁体１５を備えてなる書類載置台１０に手で大雑把に揃えた書類２００を載せるだけで、総ての用紙の端縁が正確に揃った状態となる。
【００２５】
本実施の形態の場合、ガイド切り欠き１７ａ，１７ｂはステープラー５による２箇所止めの位置に設けられ、ガイド切り欠き１７ｃ，１７ｄ，１７ｅはステープラーによる３箇所止めの位置に設けられている。また、各切り欠きの外周からの深さは使用するステープラー５の下側部材５ｂのステープル打設位置に応じて用紙の端縁から適度な位置で打設できる深さとしてある。これにより、従来の目測による打設においてステープル止めの位置が不正確で仕上がりの美しさに欠けていたのに対し、熟練を要することなく挿入するだけでステープラーが自動的に位置決めされ、正確な位置にて打設することができる。
【００２６】
また、ガイド切り欠き１７ａ，１７ｂの間の部分及び短辺の一方には、穴開けパンチ６に対応した幅広のガイド切り欠き２０ａ，２０ｂが設けられており、書類２００の長辺の２等分線及び短辺の２等分線の位置に穴開けパンチ６の中心線が来るようにガイドされて穴開け作業が行えるようになっている。これにより、従来は書類２００を予め２つ折りにして２等分線の位置に折り線を設ける手間を要したり目測で不正確な位置に穴開けしたりしていたのに対し、熟練を要することなく挿入するだけで穴開けパンチ６が自動的に位置決めされて、正確な位置にて穴開け作業を行えるものとなる。
【００２７】
尚、使用するステープラー５の下側部材５ｂ先端側の高さと、使用する穴開けパンチ６の下側部材６ｂ先端側の高さが近似している場合は、卓上面からの載置面１００の高さをこれらに応じた高さ（通常６〜１８ｍｍ）としておくことで、ステープラー５及び穴開けパンチ６の各々を卓上に置いたまま上側部材５ａ，６ａを手で押し下げるだけで作業が行えるものとなる。また、上述した各ガイド切り欠きの幅は、使用するステープラーや穴開けパンチの幅よりも僅かに大きく設定することが好ましく、その幅の真ん中になるように目測で挿入すれば良い。
【００２８】
また、穴開けパンチ６の下側部材６ｂがステープラー５の下側部材５ｂよりも大幅に高い場合は、卓上からの載置面１００の高さを穴開けパンチ６の方に適合した高さに設定しておき、ステープラー５を使用する場合には、書類綴じ補助器１Ａを綴る側が卓上の端になるように置いてから、ステープラー５を手で持ち上げて書類２００の高さに合わせた状態にして打設すれば良い。
【００２９】
図３は前述した書類綴じ補助器１Ａの応用例としての書類綴じ補助器１Ｂの平面図を示している。この書類綴じ補助器１Ｂは、ステープラー用のガイド切り欠き１８ａ，１８ｂ，１８ｃ，１８ｄ，１８ｅに、ステープラー５の下側部材５ｂにおける打設位置に応じて用紙の端縁から適切な深さ位置で打設させるように調整可能とした挿入深さ調整手段としてのストッパ板７０及びそれを深さ位置を変えて段階的に挿入させる複数の凹部を有した調整用溝１７０，１７０を設けた点を特徴としている。
【００３０】
この調整用溝１７０は、ガイド切り欠き１８ａ，・・の奥側左右の側壁を載置面１１０から板材８の厚さ方向中程まで三角柱状に切り欠いて形成した凹部を奥行き方向に連設してなるものであり、短径が板材８の厚さに一致し長径がガイド切り欠き１８ａ，・・の幅に一致した長方形の板材であるストッパ板７０の短辺端面の上半分で三角柱状に突設した挿入凸部７０ａ，７０ｂを、各々上から所望位置の凹部に挿入して、ステープラー５の挿入深さ位置を段階的に設定・調整できるようになっている。
【００３１】
図４は、図３のＸ−Ｘ線に沿う断面図を示しているが、ガイド切り欠き１８ｅに一点鎖線で示すステープラー５を挿入した場合に、下側部材５ｂの先端がストッパ板７０に当接して挿入が停止され、書類２００の用紙端縁から適度な位置にてステープルの打設が行えるようになっている。尚、これよりも浅い位置で打設したい場合は、調整用溝１７０における浅い位置の凹部にストッパ板７０を挿入し、さらに深い位置で打設したい場合は調整用溝１７０におけるもう一段深い位置にストッパ板７０を挿入するかストッパ板７０を外して使用すれば良い。
【００３２】
また、この応用例では、板材８の裏側面に脚挿入用凹部１１２ａ，１１２ｂが４隅の角部に設けられており、これにブロック状の脚体１１３を嵌入することにより書類載置台１１を支持する支持部の一部分及び載置面高さ調整手段を構成するようになっている。また、脚挿入用凹部１１２ａ，１１２ｂはその深さが段階的に異なっており、脚体１１３を使用しない場合を含めると３種類の載置面１１０の高さｈ１〜ｈ３を選択して調整を行うことができ、様々な種類のステープラー・穴開けパンチに対応可能となっている。
【００３３】
図５は、前述の書類綴じ補助器１Ａの応用例としてこれに付設される書類押え板１４を示している。この書類押え板１４は、板材１４０を平面視の長辺・短辺のサイズ及び形状が書類載置台１０の載置面１００と一致する（厳密な意味の完全一致ではなく挿入可能とする範囲で僅かに小さい）とともにその厚さが壁体１５の高さよりも小さく形成してなるものであり、壁体１５内周側に上から挿入して載置面１００に載置できるようになっている。
【００３４】
この書類押え板１４には、載置面１００に形成された各ガイド切り欠きにサイズ・形状・位置が一致した切り欠き１４２ａ，１４２ｂ，１４２ｃ，１４２ｄ，１４２ｅ，１４３ａ，１４３ｂが設けられており、書類載置台１０に載せた書類２００に被せて上から押さえ付けた状態にて、ステープラー５又は／及び穴開けパンチ６を外周側から挿入して使用することを可能としている。
【００３５】
図６は、書類載置台１０に書類押え板１４を付設してなる書類綴じ補助器１Ｃの使用状態を説明するためのものであり、これを使用する際には図示しない書類２００を書類載置台１０の載置面１００に載せた後、書類押え板１４上面に形成した梁１４０ｂを指で把持しながら壁体１５内周側に上から挿入して書類２００を押さえ付けるようにして載置する。
【００３６】
そして、ステープラー５を用いる場合は、梁１４０ｂ，ガイドライン１４０ｃ，１４０ｄ，１４０ｅ，１４０ｆを目視しながらステープラー５の中心と向きをこれに合わせ、穴開けパンチ６を用いる場合は、梁１４０ｂ，ガイドライン１４０ｈを目視しながら穴開けパンチ６の中心と向きをこれに合わせることで一層正確な位置決めが行える。尚、前記ガイドラインの代わりにドットやドットの連続等による目印を表示しても前記同様の機能を発揮することができる。また、斯かる書類押え板１４は、この応用例に限らず、本発明による書類綴じ補助器の総てに付設して前述の機能を発揮させることが可能である。
【００３７】
図７は、本発明における第２の実施の形態である書類綴じ補助器１Ｄの平面図を示しており、前述した第１の実施の形態が木材やプラスティックを素材に用いることを想定しているのに対し、本実施の形態ではアルミニウムやステンレス等の金属薄板を所定形状にカットして板金作業又は／及び型プレスにて形成することを想定したものである。
【００３８】
この書類綴じ補助器１Ｄの基本構成は、載置面１００の外周側に壁体１６が形成されて、ガイド切り欠き１９ａ，１９ｂ，１９ｃ，１９ｄ，１９ｅ，２２ａ，２２ｂが設けられている点で第１の実施の形態と同様であるが、壁体１６が載置面１２０から裏面、さらにその下側まで延設されてその下半分が書類載置台１２の支持部の一部を兼ねるものとされ、書類載置台１２の下側部分が中空になっている点を特徴としている。
【００３９】
このように、板材１３を弾性のある薄い素材で作成したことにより、載置面１２０の高さが使用するステープラーや穴開けパンチの下側部材よりも少々高い場合であっても、作業の際に板材１３自体が撓って書類２００の下面側を下側部材上面に密着させやすくなるため、正確かつ美しい仕上がりを実現しやすくなる利点もある。
【００４０】
また、ステープラー５用のガイド切り欠き１９ａ，１９ｂ，１９ｃ，１９ｄ，１９ｅに挿入深さ調整手段が設けられている点は類綴じ補助器１Ｂと同様であるが、これがストッパ板７０ではなくガイド切り欠きの奥側の壁にネジ８０を挿入方向に螺入してなるものとされ、このネジ８０を回すだけで挿入深さを容易に調整可能となっている点が特徴となっている。尚、このネジ８０の螺入による挿入深さ調整手段も、本発明による総ての書類綴じ補助器に適用して同様の機能を発揮させることが可能である。
【００４１】
また、板材１３における載置面１２０の裏側には、脚固定部１２２が四隅の角部分に各々設けられており、これにゴム等で作成したネジ固定式の脚体１４４が各々固定されて壁体１６下部側とともに書類載置台１２の支持部の一部分及び載置面高さ調整手段を構成している。図７のＹ−Ｙ線に沿う断面図である図８を参照して、脚固定部１２２は段階的に高さを変えて形成された複数の脚取付け面に各々ネジ孔を有しており、本実施の形態では脚体１１４を用いない場合を含めて、載置面１２０の高さをｈ１〜ｈ４の４段階に選択・調整することができる。
【００４２】
図９は、本発明における第３の実施の形態である書類綴じ補助器１Ｅを示している。本実施の形態の構成も第１の実施の形態の書類綴じ補助器１Ａと殆ど共通しているが、これよりも板材９を薄くするとともに壁体２６ａの裏側にこれよりも低い壁体２６ｂを反対方向に突設した構成となっており、表裏両方で使用できるようになっている点を特徴としている。
【００４３】
このように、板材９を挟んで上下に延びた壁体２６ａ，２６ｂを互いに異なる高さとしたことにより、表と裏で載置面の高さを異なる状態にして使用することができ、これらが支持部を兼ねながら、支持部の高さを調整するための載置面高さ調整手段を使用することなく、２段階の載置面の高さｈ１，ｈ２（図１０参照）にて使用可能としている。
【００４４】
図１０は、書類綴じ補助器１Ｅの応用例としての書類綴じ補助器１Ｆを示しており、この応用例でもステープラー用のガイド切り欠きの挿入深さ調整手段としてネジ９０を挿入方向に螺入している点は上述した書類綴じ補助器１Ｄと同様である。しかし、この応用例においては、板材９が薄いためにネジ頭の外周側が載置面１３０よりも上に突出して書類２００を平行に載せにくくなることから、ネジ頭の中心に対しネジ軸を偏芯してなるネジ９０を使用している点を特徴としており、これにより、ネジ頭の長い方を下向きの状態にして使用することで、載置面１３０側に突出しないものとなる。
【００４５】
図１１は、本発明における第４の実施の形態である書類綴じ補助器１Ｇの底面図を示している。本実施の形態は、書類載置台１０Ｂの板材７Ｂを支える支持部が、板材７Ｂ裏面側の少なくとも四隅に設けられた上下方向に弾性変形可能な４本の脚体１１５で構成され、載置面１００Ｂ（図１２（Ａ）参照）側に所定レベル以上の圧力を上から加えることで脚体１１５が圧縮変形しながら載置面１００Ｂを下降させ、圧力を解除することで脚体１１５が弾性反発力で載置面１００Ｂを元の高さに戻すようになっている点を特徴としたものである。
【００４６】
また、この書類綴じ補助器１Ｇは、フラットクリンチ式のステープラーでステープルを打設する際に、ステープラーの上側部材を上から押圧することによるステープル針先貫通後の折り曲げ動作時に、ステープラー下側部材針受け部の下降動作に追従しながら載置面の少なくとも打設位置側を下降させるように、所定の脚体１１５が弾性変形するようになっている。
【００４７】
そのため、使用するステープラーや穴開けパンチの下側部材に対し載置面１００Ｂが高い場合であっても、これを上から押圧することでその高さを合わせられることに加え、針受け部が上下するフラットクリンチ式ステープラーにおける２段階目の下降動作に対しても、載置面１００Ｂの高さを針受け部に追従して下降させることができ、書類に変形痕を残すことなくしっかりとステープル止めを行えるようになる。
【００４８】
図１２を参照しながら本実施の形態による機能的な特徴部分を説明すると、図（Ａ）は図１１のＺ−Ｚ線に沿う断面図であるが、支持部を構成する４本の脚体１１５は、短冊状の金属板や樹脂板等をヘアピン状に湾曲させてバネ状の弾性部材を形成するとともに、その基端側の外面からキノコ状の軸１１５ｂを突設してなるものであり、取り付けた状態で上下方向に弾性変形可能なものとなっている。
【００４９】
また、この脚体１１５は、板材７Ｂの裏面から穿設した軸孔７１に軸１１５ｂを嵌入することによりこれを中心に約９０°の範囲で旋回可能に枢着された状態となっており、図（Ａ）の位置では脚体１１５の先端側が持ち上がって載置面１００Ｂが最も高くなっている。尚、本実施の形態においては、上述したものよりも簡易化したストッパ板９５を用いており、側面視横向きＬ字状の板材上面左右両側を、両面テープ等の貼付手段で板材７Ｂの裏面各ガイド切り欠き１７ｆ〜１７ｊの所定位置（目盛りに合わせて）に張り付けて設ける構成としている。
【００５０】
さらに、図（Ｂ）に示すように、板材７Ｂ裏面の脚体１１５の９０°の旋回軌道に沿って弧状のスロープ１２３が突出して形成されており、図（Ｂ）の位置では脚体１１５の先端側が持ち上がっておらず載置面１００Ｂが最も低い位置であり、この位置から脚体１１５の先端側を図中下向きに旋回させることで、脚体１１５はスロープ１２３の上面を滑りながら先端側を持ち上げられて、破線で示す脚体１１５の角度位置で載置面１００Ｂが最も高くなる。
【００５１】
したがって、四隅の脚体１１５の旋回角度を操作するだけで、載置面１００Ｂの高さを容易に調整することができる点が特徴となっている。尚、図（Ｃ）は脚体１１５が図（Ｂ）の角度位置の場合の書類綴じ補助器１Ｇの側面図であるが、この状態で脚体１１５の突出量（持ち上げ量）は最も小さく、載置面１００Ｂの高さが最も低くなっている。
【００５２】
図１３を参照して、フラットクリンチ式のステープラー５Ｂを用いたステープル止め作業における脚体１１５の作用を説明する。先ず、図（Ａ）のように、下側部材の針受け部５ｃ上面の高さが載置面１００Ｂの高さに一致した状態で、ステープラー５Ｂがガイド切り欠き１７ｇに挿入される。
【００５３】
次に、図（Ｂ）に示すようにステープラー５Ｂの上側部材を上から押圧して閉じ方向に動かすことによりステープルの針先が書類２００を貫通するが、この時点で載置面１００Ｂの高さは変わっていない。さらに押圧を続けると、図（Ｃ）のように、主として打設位置側の脚体１１５が弾性変形して載置面１００Ｂを下降させながら、ステープラー５Ｂ下側部材の針受け部５ｃ上面の下降動作に追従し、スムースに針曲げ動作を完了させる。
【００５４】
例えば針受け部５ｃの下降量が５ｍｍとすると、脚体１１５を３ｍｍ程度弾性変形可能とすれば、板材７Ｂ及び書類２００の僅かな撓みが加わって合計５ｍｍ程度の下降動作を実現（但し卓上面との隙間は５ｍｍ以上）することから、ステープル針先の折り曲げ動作がスムースに行われ、打設位置の書類２００を過剰に変形させることなく確実なステープル止めを行なうことができる。
【００５５】
図１４は書類綴じ補助器１Ｇの平面図を示している。本実施の形態では、載置面１００Ｂにおけるステープル用の各ガイド切り欠き１７Ｈ〜１７ｇの端縁位置となる角部分を面取りした面取り面１７１〜１７５を設けている点も特徴部分となっている。この面取り面１７１〜１７５は、５ｍｍ程度の幅で端縁側の面取り深さが１〜２ｍｍ程度を想定している。
【００５６】
この面取り面１７１〜１７５があることで、フラットクリンチ式ステープラーの下側部材針受け部の下降動作に対し、書類２００のガイド切り欠きの形状・位置に一致する部分が下方向に撓みやすくなるため、前述した載置面１００Ｂの下降幅を大きく設定しなくても、確実なステープル止めを実現しやすいものとなる。尚、この面取り面１７１〜１７５は、上述した総ての実施の形態においても適用することができ、フラットクリンチ式のステープラーを使用する際に同様の機能を発揮することができる。
【００５７】
図１５は、前述した書類綴じ補助器１Ｇに専用の書類押え板１４Ｂを付設した場合の両部材の連結部分の詳細な構成を示しており、図（Ａ）は平面図、図（Ｂ）は側面図を示している。この書類押え板１４Ｂは、上述した書類押え板１４とほぼ同様の構成であるが、その２つの長辺を構成する側面の一端側に凸軸１４１，１４２が対で突設されている。
【００５８】
この対の凸軸１４１，１４２を、書類載置台１０Ｂにおける周壁１５Ｂの対応位置に形成した軸溝１５１，１５２に上から挿入し、その開口部を押え金具１５５，１５６で閉鎖したことにより、書類押え板１４Ｂを凸軸１４１，１４２を中心に開閉可能な状態で連結している。これにより、書類綴じ補助器１Ｇと書類押え板１４Ｂが一体となるため、作業が迅速に行えるとともに収納の際に便利なものとなる。尚、凸軸１４１，１４２の直径は軸溝１５１，１５２の幅よりも小さいものとして、書類押え板１４Ｂが最も開いた状態（例えば１００°以上）で停止するようにすることで、書類２００を載置する際に書類押え板１４Ｂが邪魔にならない。また、この連結方式は前述した総ての書類押え板を用いる実施例にも適用可能である。
【００５９】
図１６は前述の書類押え板１Ｇの応用例としての書類押え板１Ｈの平面図を示している。この例では、板材７Ｃの書類載置面１００Ｃに書類３００を３つ折りにする際の目印（痕跡）を形成させるための折り溝１５３，１５４を形成してなる書類載置台１０Ｃとした点を特徴としている。
【００６０】
この折り溝１５３，１５４は、図１７（Ａ）に示すように板材７Ｃ上面を横向き三角柱状に短径方向に切り欠いて溝を形成したものであり、比較的薄い書類３００を載置面１００Ｃに載置した状態で、下面の対応位置に横向き三角柱状に短径方向に突条１４３，１４４を設けた書類押え板１４Ｃをセットして押圧することにより、書類３００の表面に僅かな線状の痕跡が形成されるようになっている。この２つの線を基準に書類３００を折り曲げれば綺麗な三つ折りになるため、手紙等を折り畳んで封筒に入れる場合に極めて便利である。
【００６１】
以上、述べたように、本発明により、書類の綴り作業について熟練を要することなく正確かつ容易に行えるようになった。
【符号の説明】
【００６２】
１Ａ，１Ｂ，１Ｃ，１Ｄ，１Ｅ，１Ｆ，１Ｇ，１Ｈ  書類綴じ補助器、５，５Ｂ  ステープラー、６  穴開けパンチ、７，７Ｂ，７Ｃ，８，９，１３，１４０  板材、１０，１０Ｂ，１０Ｃ，１１，１２  書類載置台、１５，１５Ｃ，１６，２６ａ，２６ｂ  壁体、１４，１４Ｂ  書類押え板、１７ａ，１７ｂ，１７ｃ，１７ｄ，１７ｅ，１８ａ，１８ｂ，１８ｃ，１８ｄ，１８ｅ，１９ａ，１９ｂ，１９ｃ，１９ｄ，１９ｅ，２０ａ，２０ｂ，２２ａ，２２ｂ  ガイド切り欠き、７０，９５  ストッパ板、８０，９０  ネジ、１００，１００Ｂ，１００Ｃ，１１０，１２０，１３０  載置面、１１２ａ，１１２ｂ  挿入用凹部、１１３，１１４，１１５  脚体、１２２  脚固定部、１４０ｂ  梁、１４０ｃ，１４０ｄ，１４０ｅ，１４０ｆ，１４０ｇ，１４０ｈ  ガイドライン、１４２ａ，１４２ｂ，１４２ｃ，１４２ｄ，１４２ｅ、４３ａ，１４３ｂ  切り欠き、１７０  調整用溝、２００，３００  書類
【図１】
2013056410.tif 000003
【図２】
2013056410.tif 000004
【図３】
2013056410.tif 000005
【図４】
2013056410.tif 000006
【図５】
2013056410.tif 000007
【図６】
2013056410.tif 000008
【図７】
2013056410.tif 000009
【図８】
2013056410.tif 000010
【図９】
2013056410.tif 000011
【図１０】
2013056410.tif 000012
【図１１】
2013056410.tif 000013
【図１２】
2013056410.tif 000014
【図１３】
2013056410.tif 000015
【図１４】
2013056410.tif 000016
【図１５】
2013056410.tif 000017
【図１６】
2013056410.tif 000018
【図１７】
2013056410.tif 000019